(57)【特許請求の範囲】
【請求項１】
ユーザが、性別、年齢、または興味のあるジャンルを含むユーザ情報を選択入力するステップ（Ｓ４〜Ｓ５）と、
前記ユーザ情報をプリペードカードに記録するステップ（Ｓ７）とを有するプリペードカード自動販売機と、
プリペードカードに予め記録されたユーザ情報を読み出すステップ（Ｓ１２）と、
前記ユーザ情報をコンテンツサーバに転送し（Ｓ１４）、前記ユーザ情報に従って選択されたコンテンツのリンク集を表示するステップ（Ｓ１５〜Ｓ１６）とを有するインターネット端末装置と、
を具備するコンテンツ配信システム。
【発明の詳細な説明】
【０００１】
【発明の属する技術分野】
本発明は、プリペードカード自動販売機およびインターネット端末装置を具備するコンテンツ配信システムに関する。
【０００２】
【従来の技術】
従来のこの種のプリペードカード自動販売機およびインターネット端末装置を具備するコンテンツ配信システムでは、入金額に応じた利用可能時間の情報がプリペードカードに記録されている。
【０００３】
【発明が解決しようとする課題】
そのため、ユーザが希望するコンテンツまたはリンク集に到達するまでが困難であったり、子供にアダルトサイトを見せてしまう不都合がある点で改善余地があった。
【０００４】
本発明は、上記の問題点に鑑みてなされたもので、より適切なコンテンツまたはリンク集に容易に到達できるようにすることを目的とする。
【０００５】
【課題を解決するための手段】
この目的を達成するために、請求項１の発明によるコンテンツ配信システムは、
ユーザが、性別、年齢、または興味のあるジャンルを含むユーザ情報を選択入力するステップ（Ｓ４〜Ｓ５）と、
ユーザ情報をプリペードカードに記録するステップ（Ｓ７）とを有するプリペードカード自動販売機と、
プリペードカードに予め記録されたユーザ情報を読み出すステップ（Ｓ１２）と、
ユーザ情報をコンテンツサーバに転送し（Ｓ１４）、ユーザ情報に従って選択されたコンテンツのリンク集を表示するステップ（Ｓ１５〜Ｓ１６）とを有するインターネット端末装置と、
を具備する。
【０００６】
請求項２の発明は、プリペードカードに予め記録されたユーザ情報を読み出すステップ（Ｓ２１〜Ｓ２３）と、ユーザ情報に従ってコンテンツまたはリンク集を表示するステップ（Ｓ２１〜Ｓ２３）とを具備する。
【００１０】
【発明の実施の形態】
以下、本発明の実施の形態を図面に基づいて説明する。
【００１１】
図１は、本発明によるプリペードカード自動販売機の一実施形態を示す正面図およびブロック結線図である。図２は、図１におけるクレジット制御部１ｅの動作を説明するフローチャートである。
【００１２】
ユーザがプリペードカードを購入する場合は、プリペードカード自動販売機１のコイン挿入口１ａにコインを挿入する（ステップＳ１）。クレジット制御部１ｅは、入金分の金額信号を発生して（ステップＳ２）、クレジット情報として記憶する（ステップＳ３）。
【００１３】
ステップＳ４では、年齢、性別、および興味あるジャンルを問い合せる画像を表示画面１ｂに表示して、ユーザからの選択入力を待つ（ステップＳ５）。選択入力は、選択ボタン１ｃ（図１（ａ））を操作することによって行われる。
【００１４】
ステップＳ４〜Ｓ５における動作は、年齢では、１０〜１５歳、１６〜１９歳、２０〜２５歳、２６〜２９歳、３０〜３５歳、３６〜３９歳、４０〜５０歳、６０〜７０歳の中からの選択入力を待つ。性別では、男性または女性からの選択入力を待つ。興味あるジャンルでは、政治、スポーツ、コンピュータ、モバイル、経済、新製品、自動車、音楽、洋楽、キャラクター、アニメ、映画、芸能界、アダルト、競馬、パチンコ、ゲーム、ドラマ、およびバラエティの中からの選択入力を待つ。ユーザからの選択入力は、ユーザー情報として記憶される（ステップＳ６）。
【００１５】
ステップＳ３およびステップＳ６で得られたクレジットデータとユーザ情報は、データリード／ライト部１ｇに伝送されて、プリペードカードに記録される（ステップＳ７）。記録が完了すると、プリペードカードがプリペードカード挿入口から排出される（ステップＳ８）。
【００１６】
図３は、本発明によるインターネット端末装置の一実施形態を示す正面図およびブロック結線図である。図４〜図６は、図３におけるＰＣ部３ａの動作を説明するフローチャートである。
【００１７】
プリペードカード自動販売機１で発行されたプリペードカードは、プリペードカードリーダー２のプリペードカード挿入口２ａに挿入される。挿入されたプリペードカードは、データリード／ライト部２ｂで読み出されて、使用許可およびユーザ情報信号出力部２ｃからケーブル４ａを介して、インターネット端末装置３に伝送される。インターネット端末装置３では、使用許可およびユーザ情報信号入力部３ｄを介して、ＰＣ部３ａに使用許可およびユーザ情報信号を伝送する。ＰＣ部３ａは、図４〜図６にフローチャートで示すように動作する。
【００１８】
図４は、ユーザ情報信号からユーザに適切と思われるコンテンツを表示する際のＰＣ部３ａの動作を説明するフローチャートである。
【００１９】
ステップＳ１１〜ステップＳ１３で、ユーザ情報を読み出して記憶する。記憶したユーザ情報をコンテンツサーバ３ｆに転送する（ステップＳ１４）。コンテンツサーバ３ｆからは、プリペードカードを発行するときに選択（ステップＳ４〜Ｓ６）されたコンテンツのリンク集が転送される（ステップＳ１５）。このリンク集に基づいて、ユーザ専用のコンテンツリンク集を画像表示する（ステップＳ１６）。
【００２０】
コンテンツサーバ３ｆには、性別コンテンツ類、年齡別コンテンツ類、年齢制限コンテンツ類、およびジャンル別コンテンツ類が収録されている。従って、ユーザは、表示されたリンク集に従うことにより、各ユーザに最適なコンテンツを閲覧することが可能となる。
【００２１】
図５は、クレジット情報信号からタイマー３ｂを制御する際のＰＣ部３ａの動作を説明するフローチャートである。
【００２２】
ステップＳ２１〜ステップＳ２３で、クレジット情報を読み出して記憶する。記憶したクレジット情報の内容（例えば３０分）によりタイマー３ｂの値をセットする（ステップＳ２４）。ステップＳ２５ではタイマー３ｂをスタートしてインターネットブラウザを起動する。
【００２３】
続いて、１分ごとにタイマー３ｂの値をデクリメント（ステップＳ２６）すると共に、インターネットブラウザの表示を行う（ステップＳ２７）。ステップＳ２８では、タイマー３ｂの値がゼロになったか否かを判断する。ゼロになっていない場合は、ステップＳ２６に戻って上述した動作を繰り返す。
【００２４】
ゼロになった場合はプリペードカードをイジェクト（ステップＳ３０）すると共に、「引き続き行う場合は、新規プリペードカードを入れて下さい」と表示する（ステップＳ２９）。ステップＳ３１では、新規プリペードカードの挿入があったか否かを判断する。新規プリペードカードの挿入があった場合は、ステップＳ２６に戻って上述した動作を繰り返す。新規プリペードカードの挿入がなかった場合は、画像をスクリーンセーバ（ステップＳ３２）にすると共に、「インターネットを行う場合は、新規プリペードカードを入れてください」と表示する（ステップＳ３３）。
【００２５】
このように、プリペードカードに書込まれているクレジット情報に従って、即ち、既に支払った料金に従って、所定の時間だけユーザはコンテンツを閲覧することが可能となる。
【００２６】
図６は、コンテンツを表示する際のＰＣ部３ａの動作を説明するフローチャートである。この実施形態では、図１で説明したプリペードカード自動販売機１を利用しないで、特定企業がコマーシャルのために配付したプリペードカードを利用する場合を説明している。このプリペードカードには、特定企業のアドレスとクレジット情報信号が予め記録されている。
【００２７】
ステップＳ４１〜ステップＳ４３で、特定企業のアドレスとクレジット情報を読み出して記憶する。ステップＳ４４では、「ＸＸＸの企業ＣＭを見ますか？ご覧になった場合、ＸＸ分間インターネットの使用は無料です」と表示する。
【００２８】
ユーザが「ＣＭを見る」を選択しなかった場合には、ステップＳ４９でクレジットの内容によりタイマー３ｂの値をセットして、ステップＳ５０に移行する。ユーザが「ＣＭを見る」を選択した場合には、ステップＳ４６でＣＭ用アドレスのページをブラウザに入力する。ステップＳ４７で「企業ＣＭ」を流す。ステップＳ４８で、タイマー３ｂの値に１０分を加算して、ステップＳ５０に移行する。
【００２９】
ステップＳ５０では、タイマー３ｂをスタートしてインターネットブラウザを起動する。続いて、１分ごとにタイマー３ｂの値をデクリメント（ステップＳ５１）すると共に、インターネットブラウザの表示を行う（ステップＳ５２）。ステップＳ５３では、タイマー３ｂの値がゼロになったか否かを判断する。ゼロになっていない場合は、ステップＳ５１に戻って上述した動作を繰り返す。
【００３０】
ゼロになった場合はプリペードカードをイジェクト（ステップＳ５４）すると共に、「引き続き行う場合は、新規プリペードカードを入れて下さい」と表示する（ステップＳ５５）。ステップＳ５６では、新規プリペードカードの挿入があったか否かを判断する。新規プリペードカードの挿入があった場合は、ステップＳ５１に戻って上述した動作を繰り返す。新規プリペードカードの挿入がなかった場合は、画像をスクリーンセーバ（ステップＳ５７）にすると共に、「インターネットを行う場合は、新規プリペードカードを入れてください」と表示する（ステップＳ５８）。
【００３１】
このように、企業ＣＭを見ることにより、プリペードカードに書込まれているクレジット情報、即ち既に支払った料金にプラスして、所定の時間だけ余計にユーザはコンテンツを閲覧することが可能となる。企業の立場で見れば、本発明によるプリペードカード自動販売機およびインターネット端末装置をコマーシャル媒体として利用することが可能となる。
【００３２】
【発明の効果】
以上のように、本発明のプリペードカード自動販売機およびインターネット端末装置を具備するコンテンツ配信システムによれば、プリペードカードに予め記録されたユーザ情報を読み出すステップ（Ｓ１２）と、ユーザ情報をコンテンツサーバに転送し（Ｓ１４）、選択されたコンテンツのリンク集を表示するステップ（Ｓ１５〜Ｓ１６）とを設けたので、プリペードカードに予め記録されたユーザ情報を用いることにより、より適切なリンク集に容易に到達できるようになる。
【図面の簡単な説明】
【図１】本発明によるプリペードカード自動販売機の一実施形態を示す正面図およびブロック結線図である。
【図２】本発明によるプリペードカード自動販売機の一実施形態を示すフローチャートである。
【図３】本発明によるインターネット端末装置の一実施形態を示す正面図およびブロック結線図である。
【図４】本発明によるインターネット端末装置の一実施形態を示すフローチャートである。
【図５】本発明によるインターネット端末装置の一実施形態を示すフローチャートである。
【図６】本発明によるインターネット端末装置の一実施形態を示すブロック結線図である。
【符号の説明】
１    プリペードカード自動販売機
１ａ  コイン挿入口
１ｂ  表示画面
１ｃ  選択ボタン
１ｅ  クレジット制御部
１ｇ  データリード／ライト部
２    プリペードカードリーダー
２ａ  プリペードカード挿入口
２ｂ  データリード／ライト部
２ｃ  ユーザ情報信号出力部
３    インターネット端末装置
３ａ  ＰＣ部
３ｂ  タイマー
３ｄ  ユーザ情報信号入力部
３ｆ  コンテンツサーバ
４ａ  ケーブル
【図１】
0004536863.tif 000002
【図２】
0004536863.tif 000003
【図３】
0004536863.tif 000004
【図４】
0004536863.tif 000005
【図５】
0004536863.tif 000006
【図６】
0004536863.tif 000007